(57)【要約】【課題】畑作と稲作とを行う場合に低コスト化を図る。【解決手段】用水マス２０は、外部から水を取り込む吸水口２２を有したマス本体２１と、マス本体２１の底面に形成され、地中に埋設された暗渠管１３に接続される第一の排水口２３と、マス本体２１の側面に形成され、水田３に水を供給する水供給管１５に接続される第二の排水口２４と、第一の排水口２３に装着されるストレーナー２５と、を備える。ストレーナー２５は、筒状で、両端部にそれぞれ第一の排水口２３に挿入可能な挿入部２５ａ，２５ｂを有するとともに、中間部の外周面にマス本体２１内からストレーナー２５内に水が流入する複数の流入孔２５ｃを有し、一方の挿入部２５ｂは閉塞されている。【選択図】図４
2015195740.tif 000002
【特許請求の範囲】
【請求項１】
外部から水を取り込む吸水口を有したマス本体と、
前記マス本体の底面に形成され、地中に埋設された暗渠管に接続される第一の排水口と、
前記マス本体の側面に形成され、水田に前記水を供給する水供給管に接続される第二の排水口と、
前記第一の排水口に装着されるストレーナーと、を備え、
前記ストレーナーは、筒状で、両端部にそれぞれ前記第一の排水口に挿入可能な挿入部を有するとともに、中間部の外周面に前記マス本体内から前記ストレーナー内に水が流入する複数の流入孔を有し、一方の前記挿入部は閉塞されていることを特徴とする用水マス。
【請求項２】
請求項１に記載の用水マスと、
前記第一の排水口に接続され、地中に埋設された暗渠管と、
前記暗渠管の下流側に接続され、地下水位を調整する地下水位調整水閘と、を備えていることを特徴とする地下灌漑システム。
【請求項３】
前記地下水位調整水閘は、前記暗渠管に接続される導入口および排水管に接続される排水口を底部に備え、前記底部から上方に向けて延びる外筒と、
前記外筒内に設けられ、下端が前記排水口に接続され、上下方向に複数の貫通孔が形成された内筒と、
前記内筒の外周面に装着され、前記内筒に対する上下方向の装着位置に応じて複数の前記貫通孔を閉塞可能な閉塞カバーと、を備え、
前記閉塞カバーは、前記内筒の外周面に対し、前記内筒の径方向に弾性変形可能であり、
前記内筒の外周面に密着して前記貫通孔を閉塞する状態と、前記内筒の外周面から径方向外周側に弾性変形し、前記内筒に沿って上下方向にスライド移動可能な状態と、の間で切り替え可能とされていることを特徴とする請求項２に記載の地下灌漑システム。
【発明の詳細な説明】
【技術分野】
【０００１】
本発明は、用水マスおよび地下灌漑システムに関する。
【背景技術】
【０００２】
畑作や稲作における作物への水分供給に、地下灌漑システムを用いることが行われている。地下灌漑システムは、用水路から用水マスを経て導入した水を、地中に埋設した暗渠管に通し、暗渠管から地中にしみ出る水によって、地中への水分供給を行っている。暗渠管の下流側には排水管が接続され、排水管は排水路に排水できるようになっている。また、排水管には、地下灌漑システムの開閉弁として水閘が設けられている。
【０００３】
特許文献１には、上記したような地下灌漑システムに用いる水位調節装置が開示されている。この水位調節装置は、下部パイプと、下部パイプ上に着脱可能に連結される上部パイプと、上部パイプに上方に向けてスライド可能に装着されるスライドパイプと、を備えている。そして、畑作時、下部パイプと上部パイプとを離間させ、下部パイプの上端によって地下水位を設定する。稲作時には、下部パイプ上に上部パイプを連結し、スライドパイプを上部パイプに対して上下方向にスライドさせることによって、地下水位を調整している。
【先行技術文献】
【特許文献】
【０００４】
【特許文献１】特許第４１５２６９２号公報
【発明の概要】
【発明が解決しようとする課題】
【０００５】
上記したように、特許文献１では、畑作および稲作のいずれか一方を選択して行う場合に、一つの水位調節装置で地下水位の調整を行うことができるため、有効である。
しかし、稲作を行う場合に、暗渠管から水を供給するのではなく、用水路から圃場に水を直接供給する場合もある。
そのような場合、用水路から地下灌漑システムに水を供給する用水マスとは別に、圃場に直接水を供給するための用水マスを設ける必要があり、コストがかかるという問題があった。
【０００６】
本発明は、上述する問題点に鑑みてなされたもので、畑作と稲作とを行う場合に低コスト化を図ることができる用水マスおよび地下灌漑システムを提供することを目的とする。
【課題を解決するための手段】
【０００７】
本発明は、上記課題を解決するため、以下の手段を採用する。
本発明に係る用水マスは、外部から水を取り込む吸水口を有したマス本体と、前記マス本体の底面に形成され、地中に埋設された暗渠管に接続される第一の排水口と、前記マス本体の側面に形成され、水田に前記水を供給する水供給管に接続される第二の排水口と、前記第一の排水口に装着されるストレーナーと、を備え、前記ストレーナーは、筒状で、両端部にそれぞれ前記第一の排水口に挿入可能な挿入部を有するとともに、中間部の外周面に前記マス本体内から前記ストレーナー内に水が流入する複数の流入孔を有し、一方の前記挿入部は閉塞されていることを特徴とする。
【０００８】
このような構成によれば、稲作時には、第一の排水口を閉塞することで、吸水口を通して外部からマス本体に取り込んだ水を、第二の排水口から水供給管を通し、水田に供給することができる。また、畑作時には、第二の排水口を閉塞すれば、第一の排水口から暗渠管を通し、地中に水を供給することができる。このようにして一つの用水マスで、稲作時と畑作時の双方に対して水を供給することが可能となる。
【０００９】
また、第一の排水口から水を送り出す場合、ストレーナーにおいて、閉塞された側の挿入部を上方に向け、他方の挿入部を第一の排水口に挿入させることにより、マス本体内の水が流入孔を通してストレーナー内に流入し、第一の排水口から水を送り出すことができる。
第二の排水口から水を送り出すに際して第一の排水口を閉塞する場合、ストレーナーにおいて、閉塞された側の挿入部を第一の排水口に挿入させると、第一の排水口が閉塞される。
このようにして、ストレーナーを上下に入れ替えることのみで、第一の排水口の開放又は閉塞を容易に切り替えることができる。
【００１０】
本発明に係る地下灌漑システムは、上記したような用水マスと、前記第一の排水口に接続され、地中に埋設された暗渠管と、前記暗渠管の下流側に接続され、地下水位を調整する地下水位調整水閘と、を備えていることを特徴とする。
【００１１】
このような地下灌漑システムによれば、畑作時には、用水マスの第一の排水口から送り出された水を、暗渠管を通して地中に供給することができる。
そして、地中に供給された水の地下水位は、地下水位調整水閘によって、生育させる作物の種類等に応じて調整することができる。
【００１２】
また、本発明に係る地下灌漑システムにおいて、前記地下水位調整水閘は、前記暗渠管に接続される導入口および排水管に接続される排水口を底部に備え、前記底部から上方に向けて延びる外筒と、前記外筒内に設けられ、下端が前記排水口に接続され、上下方向に複数の貫通孔が形成された内筒と、前記内筒の外周面に装着され、前記内筒に対する上下方向の装着位置に応じて複数の前記貫通孔を閉塞可能な閉塞カバーと、を備え、前記閉塞カバーは、前記内筒の外周面に対し、前記内筒の径方向に弾性変形可能であり、前記内筒の外周面に密着して前記貫通孔を閉塞する状態と、前記内筒の外周面から径方向外周側に弾性変形し、前記内筒に沿って上下方向にスライド移動可能な状態と、の間で切り替え可能とされているようにしてもよい。
【００１３】
このような構成によれば、内筒に対する閉塞カバーの位置を上下方向に変更することで、複数の貫通孔を適宜閉塞することができ、地下水位を調整することができる。そして、閉塞カバーを上下方向に移動させるときには、閉塞カバーを弾性変形させて内筒の径方向外方に広げることによって、閉塞カバーを容易にスライド移動させることができる。そして、閉塞カバーの移動後は、弾性により径方向内方に変形して元の形状に戻ることで、閉塞カバーは外周面に密着する。このような構成は、閉塞カバーを径方向に弾性変形可能とすればよいので、簡易な構成で実現することができる。
【発明の効果】
【００１４】
本発明に係る用水マスおよび地下灌漑システムによれば、ストレーナーを上下に入れ替えるのみで、第一の排水口の開放または閉塞を容易に切り替えることができる。したがって、一つの用水マスで、稲作時と畑作時の双方に対して水を低コストで供給することが可能となる。
【図面の簡単な説明】
【００１５】
【図１】本発明の一実施形態に係る用水マスおよび地下灌漑システムの全体構成を示す模式図であり、畑作を行う場合の構成を示す断面図である。
【図２】地下水位調整水閘に備えられた内筒および閉塞カバーを示す図であり、（ａ）は正面図、（ｂ）は側面図である。
【図３】内筒を外筒の排水口から引き抜いて、係止部に係止させた状態を示す図である。
【図４】本実施形態の地下灌漑システムで稲作を行う場合の構成を示す断面図である。
【図５】上記地下水位調整水閘の変形例の構成を示す図であり、（ａ）は貫通孔を永孔とした内筒を示す正面図、（ｂ）は（ａ）の側面図、（ｃ）は（ａ）の背面図である。
【図６】上記地下水位調整水閘の他の変形例の構成を示す図であり、（ａ）は、回転式の閉塞カバーを設けた内筒を示す正面図、（ｂ）は（ａ）の側面図である。
【図７】図６の要部を示す斜視図である。
【図８】上記地下水位調整水閘のさらに他の変形例の構成を示す図であり、ゴム製の閉塞カバーを設けた内筒を備える地下水位調整水閘の一部断面図である。
【図９】ゴム製の閉塞カバーの下端部の拡大断面図である。
【発明を実施するための形態】
【００１６】
以下、添付図面を参照して、本発明による用水マスおよび地下灌漑システムを実施するための形態を説明する。しかし、本発明はこの実施形態のみに限定されるものではない。
【００１７】
図１は、本発明の一実施形態に係る用水マスおよび地下灌漑システムの全体構成を示す模式図であり、畑作を行う場合の構成を示す断面図である。図２は、地下水位調整水閘に備えられた内筒および閉塞カバーを示す図であり、（ａ）は正面図、（ｂ）は側面図である。図３は、内筒を外筒の排水口から引き抜いて、係止部に係止させた状態を示す図である。図４は、本実施形態の地下灌漑システムで稲作を行う場合の構成を示す断面図である。
【００１８】
図１に示すように、地下灌漑システム１０は、用水路（外部）１に接続された用水マス２０と、用水マス２０に接続されて下方に延びる給水管１２と、給水管１２に接続され、所定の水勾配で地中に埋設された暗渠管１３と、暗渠管１３の下流側に接続された地下水位調整水閘４０と、地下水位調整水閘４０と排水路２との間に接続された排水管１４と、を備えた配管構造となっている。
【００１９】
用水マス２０は、マス本体２１と、ストレーナー２５と、蓋体２８と、を備えている。
マス本体２１は、上方に形成された開口部２１ａと、側面に形成された吸水口２２および側部排水口（第二の排水口）２４と、底面に形成された底部排水口（第一の排水口）２３と、を有している。
【００２０】
吸水口２２には、取水管１１が接続され、用水路１からマス本体２１内に水が取り込まれる。この吸水口２２は、複数設けられていてもよい。
【００２１】
側部排水口２４は、水田に水を供給する水供給管１５（図４参照）が接続可能とされる。この側部排水口２４は、着脱可能な止水栓２６により閉塞可能となっている。止水栓２６は、飛散や盗難防止のため、不図示のチェーンやワイヤ等によりマス本体２１に接続しておくのが好ましい。
【００２２】
底部排水口２３には、下方に延びる給水管１２が接続される。この底部排水口２３に、ストレーナー２５が装着される。
ストレーナー２５は、筒状で、両端部にそれぞれ底部排水口２３に挿入可能な挿入部２５ａ，２５ｂを有している。挿入部２５ａ，２５ｂは、先端に向かうにしたがいその外径が漸次縮小するテーパ状とされている。これにより、挿入部２５ａ，２５ｂを底部排水口２３に挿入すると、挿入部２５ａ，２５ｂと底部排水口２３とが密着し、止水性が保たれるようになっている。
ストレーナー２５において、挿入部２５ａ，２５ｂの間の中間部には、ストレーナー２５の内外を貫通する複数の流入孔２５ｃが形成されている。これら流入孔２５ｃを通して、マス本体２１内からストレーナー２５内に水が流入する。
【００２３】
このようなストレーナー２５において、一方の挿入部２５ｂは閉塞板２７により閉塞された閉塞端とされ、他方の挿入部２５ａは開放された開放端とされている。
このストレーナー２５は、開放端側の挿入部２５ａを底部排水口２３に挿入した場合、吸水口２２を通して用水路１からマス本体２１に取り込まれた水は、流入孔２５ｃを通してストレーナー２５内に流入し、開放端側の挿入部２５ａを通って底部排水口２３から送り出される。
また、ストレーナー２５における閉塞端側の挿入部２５ｂを底部排水口２３に挿入した場合、底部排水口２３が閉塞板２７により閉塞される。すると、底部排水口２３からの排水が遮断される。
【００２４】
給水管１２は、用水マス２０の底部排水口２３から送り出された水が流れ込む。この給水管１２には、所定の水勾配で地中に埋設された暗渠管１３が接続されている。
暗渠管１３には、不図示の貫通孔が多数形成されており、給水管１２から流れ込んだ水が地中に染み出すようになっている。
【００２５】
地下水位調整水閘４０は、暗渠管１３の下流側に接続されている。
地下水位調整水閘４０は、外筒４１と、外筒４１内に設けられた内筒４２と、内筒４２の外周面４２ｆに装着された閉塞カバー４３と、を備えている。
【００２６】
外筒４１は、円筒状で、上下方向に延び、その上端部が地表よりも上方に突出し、残りの部分が地中に埋設されて設けられている。外筒４１は、その底部に、暗渠管１３に接続される導入口４４と、排水管１４に接続される排水口４５とが形成されている。
また、外筒４１の上端部は開口しており、蓋体４７が着脱可能に装着されている。この蓋体４７は、その飛散や紛失、盗難を防ぐため、チェーンやワイヤ４７Ｌを介して外筒４１に接続するのが好ましい。
【００２７】
内筒４２は、外筒４１内に設けられ、下端部４２ｂが排水口４５に接続されている。図１，図２に示すように、この内筒４２は、上下方向に間隔を空けて複数の貫通孔４６が形成されている。各貫通孔４６は、例えば円形とされている。内筒４２の下端部４２ｂは、下方に向かうに従いその外径が漸次縮小するテーパ状とされ、排水口４５に対して密着し、止水性が保たれるようになっている。
この内筒４２は、その下端部４２ｂを排水口４５から上方に引き抜いて取り外すことができるようになっている。
【００２８】
また、内筒４２の上端部には、その内外を貫通する開口部４８Ａ，４８Ｂが形成されている。一方の第１開口部４８Ａは、内筒４２を持ち上げるときの取っ手として用いることができる大きさに形成されている。他方の第２開口部４８Ｂは、内筒４２を外筒４１に係止させるための係止孔として用いられる。
外筒４１の内周面の上部には、ビス等からなり、第２開口部４８Ｂに挿通させることで内筒４２を排水口４５から取り外した状態で係止する係止部４９が設けられている。
【００２９】
閉塞カバー４３は、内筒４２の外周面４２ｆに装着されている。この閉塞カバー４３は、周方向の一部が切り欠かれた断面Ｃ字状の筒状をなしている。このような閉塞カバー４３は、内筒４２の外周面４２ｆに対し、内筒４２の径方向に弾性変形可能とされている。これにより、閉塞カバー４３は、内筒４２の外周面４２ｆに密着して貫通孔４６を閉塞する状態と、内筒４２の外周面４２ｆから径方向外周側に弾性変形して拡径し、内筒４２に沿って上下方向にスライド移動可能な状態との間で切り替え可能とされている。そして、この閉塞カバー４３は、内筒４２に対する上下方向の装着位置に応じて複数の貫通孔４６を閉塞可能となっている。
【００３０】
また、閉塞カバー４３の外周部には、閉塞カバー４３の径方向外周側への変形を拘束する拘束バンド（拘束部材）５０が、上下方向に間隔を空けて複数（図２で２つ）設けられている。拘束バンド５０は、不図示のバックル部を備え、その周長を変更できるとともに、任意の周長で固定できるようになっている。このような拘束バンド５０により、閉塞カバー４３が内筒４２の外周面４２ｆに密着して貫通孔４６を閉塞し、内筒４２に沿う上下方向の移動が規制され固定された状態に維持することができる。
また、拘束バンド５０を緩めると、閉塞カバー４３を径方向外方に弾性変形させて拡径することができ、閉塞カバー４３の位置調整を容易に行うことができる。
【００３１】
次に、上記したような地下灌漑システム１０の利用方法について説明する。
（畑作の場合）
まず、畑作を行う場合、図１に示すように、用水マス２０において、側部排水口２４を止水栓２６で閉塞する。また、底部排水口２３において、ストレーナー２５を、開放端側の挿入部２５ａを底部排水口２３に挿入してセットする。
また、地下水位調整水閘４０においては、所望の地下水位に応じて閉塞カバー４３の高さを予め調整する。地下水位は、閉塞カバー４３の上方に露出している貫通孔４６の位置に応じて決まる。例えば、閉塞カバー４３で全ての貫通孔４６を閉塞した場合には、地下水位が内筒４２の上端部と同レベルとなる。
【００３２】
そして、用水マス２０の底部排水口２３から暗渠管１３に送り込まれた水は、暗渠管１３から地中に染み出し、灌漑を行うことができる。このとき、地下水位調整水閘４０の外筒４１内では、閉塞カバー４３の上方に露出した貫通孔４６から水が内筒４２内に流れ込む。閉塞カバー４３で全ての貫通孔４６を閉塞した場合、外筒４１内の水は、内筒４２の上端部から内筒４２内に流れ込む。
内筒４２内に流れ込んだ水は、内筒４２の下端部４２ｂから排水口４５、排水管１４を経て排水路２に排出される。これにより、地下水位は、地下水位調整水閘４０の外筒４１内の水位レベルと同じレベルとなる。
【００３３】
（フラッシングを行う場合）
また、地下灌漑システム１０では、使用しているうちに、暗渠管１３内に草や土砂等が流れ込む。そこで、適宜タイミングで、以下のようにフラッシングを実行するのが好ましい。
フラッシングを行うには、図３に示すように、地下水位調整水閘４０において、内筒４２を排水口４５から上方に引き抜く。このとき、内筒４２は、上端部の第１開口部４８Ａの部分を取っ手として掴むことで、容易に引き上げることができる。そして、排水口４５から引き抜いた内筒４２は、第２開口部４８Ｂを外筒４１の内周面に設けられた係止部４９に係止させる。これにより、排水口４５から引き抜いた内筒４２を、外筒４１内に収容したままの状態で外筒４１に係止させることができる。
フラッシングの終了後は、内筒４２を係止部４９から取り外し、下端部４２ｂを排水口４５に挿入する。
【００３４】
（稲作を行う場合）
さらに、稲作を行う場合には、図４に示すように、用水マス２０において、側部排水口２４から止水栓２６（図１）を取り外し、側部排水口２４を開放する。そして、側部排水口２４には、水供給管１５を接続する。
また、底部排水口２３において、ストレーナー２５を、閉塞端側の挿入部２５ｂを底部排水口２３に挿入してセットする。これにより、底部排水口２３が閉塞板２７により閉塞され、底部排水口２３からの排水が遮断される。
【００３５】
すると、用水路１から用水マス２０に送り込まれた水は、側部排水口２４を通り、水田３に送り込まれる。
【００３６】
上述したような構成によれば、用水マス２０は、稲作時には、底部排水口２３を閉塞することで、吸水口２２を通して外部からマス本体２１に取り込んだ水を、側部排水口２４から水供給管１５を通し、水田３に供給することができる。また、畑作時には、側部排水口２４を閉塞すれば、底部排水口２３から暗渠管１３を通し、地中に水を供給することができる。このようにして一つの用水マス２０で、稲作時と畑作時の双方に対して水を供給することが可能となる。
【００３７】
そして、用水マス２０は、ストレーナー２５の一方の挿入部２５ｂが閉塞端とされ、他方の挿入部２５ａが開放端とされているので、ストレーナー２５を上下に入れ替えるのみで、底部排水口２３の開放または閉塞を容易に切り替えることができる。
加えて、ストレーナー２５は、底部排水口２３から容易に取り外すことができるので、ストレーナー２５の清掃などを容易に行うことができる。
【００３８】
また、地下水位調整水閘４０は、内筒４２に対する閉塞カバー４３の位置を上下方向に変更することで、複数の貫通孔４６を適宜閉塞して、地下水位を調整することができる。そして、閉塞カバー４３を上下方向に移動させるときには、閉塞カバー４３を弾性変形させて内筒４２の径方向外方に広げる。これによって、閉塞カバー４３と内筒４２の外周面４２ｆとの間の摩擦を最小限とすることができ、軽い力で閉塞カバー４３を移動できるようになる。そして、閉塞カバー４３は、その移動後に弾性により径方向内方に変形して元の形状に戻ることで外周面４２ｆに密着する。したがって、閉塞カバー４３の位置を確実に固定でき、水が漏れるのを防ぐことができる。
【００３９】
さらに、閉塞カバー４３の外周部に、閉塞カバー４３の径方向外周側への変形を拘束する拘束バンド５０をさらに備えるようにしたので、閉塞カバー４３を、内筒４２の外周面４２ｆに密着させて位置ズレを防ぎ、貫通孔４６を閉塞する状態に確実に維持することが可能となる。
【００４０】
また、閉塞カバー４３は、周方向の一部が切り欠かれた断面Ｃ字状の筒状をなしている。このように構成することで、閉塞カバー４３を、簡易な構成により、内筒４２の径方向に弾性変形可能とすることができる。
このようにして、地下水位調整水閘４０は、簡易な構成により、閉塞カバー４３の移動を容易に行いつつ、移動後の閉塞カバー４３の位置を確実に固定できるので、コスト増を抑えつつ、水位調整を容易かつ確実に行うことが可能となる。
【００４１】
また、地下水位調整水閘４０において、内筒４２は、排水口４５に対して着脱可能に接続されている。このように構成することで、暗渠管１３から流れ込む水を排水口４５にそのまま流すことができ、暗渠管１３のフラッシングを行うことが可能となる。
【００４２】
さらに、内筒４２の上端部に第２開口部４８Ｂが形成され、外筒４１の内周面に、内筒４２を係止する係止部４９が設けられている。このように構成することで、排水口４５から取り外した内筒４２の第２開口部４８Ｂを係止部４９に係止させて、内筒４２を外筒４１内に収容したままフラッシングを行うことができる。したがって、内筒４２を外筒４１の外に出して誤って破損させることを防ぐことができる。
【００４３】
（その他の実施形態）
なお、本発明の用水マス２０及びそれを用いた地下灌漑システム１０は、図面を参照して説明した上述の実施形態に限定されるものではなく、その技術的範囲において様々な変形例が考えられる。
例えば、本実施形態では、止水栓２６が側部排水口２４の水田側開口部を閉塞するよう設けられているが、側部排水口２４の用水マス２０側開口部を閉塞するよう設けても良い。こうすることで、水田への水供給管１５を常に側部排水口２４に設置しておくことができる。
また、地下水位調整水閘４０を構成する内筒４２には、円形の貫通孔４６を形成するようにしたが、貫通孔４６は、矩形、多角形状、長円形状といった他の形状としてもよい。
さらに、例えば、図５（ａ）〜（ｃ）に示すように、貫通孔４６を上下方向に長い長円形状とし、複数の貫通孔４６を内筒４２の周方向に互い違いに千鳥状に設けてもよい。
【００４４】
また、例えば図６（ａ），（ｂ）、及び図７に示すように、閉塞カバー４３Ｂは、その位置を上下動させて地下水位調整を行うのではなく、内筒４２の周方向に回転させることによって、貫通孔４６を開閉するようにしてもよい。この場合、閉塞カバー４３Ｂは、それぞれの貫通孔４６に一つずつ独立して設ける。そして、閉塞カバー４３Ｂには、開口部５５が形成されている。この閉塞カバー４３Ｂを回転させ、開口部５５を貫通孔４６に連通させた状態で、貫通孔４６から水を内筒４２内に取り込むことができる。
本実施形態では、このような場合も、閉塞カバー４３Ｂは、断面Ｃ字状とし、その外周部を拘束バンド５０（図１参照）で拘束するものとする。
【００４５】
さらに、閉塞カバー４３Ｃは、ゴム製としてもよい。この場合、図８に示すように、閉塞カバー４３Ｃは筒状とする。また、図９に示すように、筒状の閉塞カバー４３Ｃの上下端部には、止水性を高めるために、その内周面に周方向に連続するシールリップ５６が突出形成されている。
このような閉塞カバー４３Ｃは、弾性変形させて内筒４２の径方向外方に広げることによって、閉塞カバー４３Ｃを上下方向に容易にスライド移動させることができる。そして、閉塞カバー４３Ｃの移動後は、閉塞カバー４３Ｃが自らの弾性により径方向内方に収縮変形して元の形状に戻ることで、閉塞カバー４３は外周面４２ｆに密着する。
【００４６】
これ以外にも、本発明の主旨を逸脱しない限り、上記実施の形態で挙げた構成を取捨選択したり、他の構成に適宜変更したりすることが可能である。
【符号の説明】
【００４７】
１  用水路（外部）
３  水田
１０  地下灌漑システム
１３  暗渠管
１４  排水管
１５  水供給管
２０  用水マス
２１  マス本体
２２  吸水口
２３  底部排水口（第一の排水口）
２４  側部排水口（第二の排水口）
２５  ストレーナー
２５ａ，２５ｂ  挿入部
２５ｃ  流入孔
４０  地下水位調整水閘
４１  外筒
４２  内筒
４２ｆ  外周面
４３、４３Ｂ、４３Ｃ  閉塞カバー
４４  導入口
４５  排水口
４６  貫通孔
【図１】
2015195740.tif 000003
【図２】
2015195740.tif 000004
【図３】
2015195740.tif 000005
【図４】
2015195740.tif 000006
【図５】
2015195740.tif 000007
【図６】
2015195740.tif 000008
【図７】
2015195740.tif 000009
【図８】
2015195740.tif 000010
【図９】
2015195740.tif 000011